(57)【特許請求の範囲】
【請求項１】
相互に対向して配置され、被保持物品を挟圧した状態で外装カートン内に収納される物品保持具を構成する略矩形状の外郭を備えた一対の基板であって、
被保持物品を挟圧する伸縮フィルムで覆われる窓開き部と、４本のベース辺を構成する二組の対向した折罫と前記ベース辺の交点より端部に向かって延在する折罫と端部で区画される二組の壁部及び異なる組の壁部を連結する連結片とをそれぞれ有し、
前記連結片は、基板の外郭を成す４つの角に４箇所それぞれ形成され、
一組の対向する前記壁部は、矩形状壁部からなると共に、他の一組の対向する前記壁部は、４つの角部が切り欠かれた台形状壁部からなり、
前記連結片に、前記各連結片を区画する矩形状壁部の折罫と台形状壁部の折罫との間の角度を略等分に分割する折罫を設け、
前記台形状壁部におけるベース辺側の２つの内角の和が、略９０度に構成され、
各矩形状壁部を、前記連結片で連結されている台形状壁部のベース辺側の内角と同一の角度で傾斜させて折り曲げると共に、各台形状壁部を、略９０度の角度で折り曲げ、
一対の基板を相互に対向して且つベース辺側の台形状壁部の内角の配置を逆にして配置し、被保持物品を挟圧した状態で組み合わされるベース辺側の台形状壁部の２つの内角の和が、略９０度に構成されるようにし、
被保持物品を挟圧した状態で略９０度を成す一対の基板の組み合わされた２枚の矩形状壁部の角部が外装カートン内の対向する２つの角部に沿うように、かつ、動かないように窮屈な状態で断面が矩形状の外装カートン内に被保持物品が宙吊り状態となるように収納されることを特徴とする一対の基板。
【請求項２】
請求項１に記載の一対の基板を備えることを特徴とする、物品保持具。
【発明の詳細な説明】
【技術分野】
【０００１】
本発明は、物品を動かないように宙吊り状態で収納し、落下衝撃等の外力が加わった際にも直接外力が物品に作用して物品の損傷を防止することができる物品保持具及びその基板に関するものである。
【背景技術】
【０００２】
従来から、流通等において落下衝撃等の外力が加わった際に直接に外力が物品に作用して物品が損傷することがないように、また、流通時等において包装体内で物品が動くことによる損傷がないように物品を保護する各種の緩衝材からなる包装体が用いられている。具体的には、物品の形状に合せて成形した型、たとえば、発泡成形体、紙製成形体（パルプモールド）からなる緩衝材に嵌め込み、あるいは、発泡緩衝シートや発泡チップ、気泡緩衝シート〔いわゆる、エアーキャップ（登録商標）〕などと共に収納し、これを外装体で包装した包装体などが知られている。
【０００３】
また、他の包装体としては、窓孔を開けた基台の前記窓孔をフィルムで被覆した物品保持具を用い、物品を２枚の物品保持具のそれぞれのフィルムで挟圧し、該挟圧姿勢を拘束して物品を中空位置に保持してなる包装体（たとえば、特許文献１参照）が知られている。特許文献１に開示された包装体は、基台２の角部の強度を向上させて基台２の安定性と信頼性の高い物品保持具を提供するものであるが、特許文献１の図２、３からも明らかなように左右の側面は基台２の周壁４と外箱２０により壁が二重の構成となっているものの、上下の面は外箱２０のみの壁（一重の構成）であり、側面に比べて上下の面は外力に抗する力が劣るという問題がある。
【特許文献１】特許第３７１８４６１号公報
【発明の開示】
【発明が解決しようとする課題】
【０００４】
そこで本発明は、外装カートン内に収納されて包装体を構成した場合に、いずれの面も少なくともその一部が二重の壁を備え、流通時等において外力が加わった際にも直接に外力が物品に作用して物品が損傷することがなく、また、流通時等において包装体内で物品が動くことによる損傷がない物品保持具及びその基板を提供することである。また、工程及び資材の削減を実現して生産力を向上させるために、テープや糊等の接着手段を必要としなくても組み立てることができる物品保持具及びその基板を提供することである。
【課題を解決するための手段】
【０００５】
本発明者は、上記課題を達成するために、請求項１記載の本発明は、相互に対向して配置され、被保持物品を挟圧した状態で外装カートン内に収納される物品保持具を構成する略矩形状の外郭を備えた一対の基板であって、被保持物品を挟圧する伸縮フィルムで覆われる窓開き部と、４本のベース辺を構成する二組の対向した折罫と前記ベース辺の交点より端部に向かって延在する折罫と端部で区画される二組の壁部及び異なる組の壁部を連結する連結片とをそれぞれ有し、前記連結片は、基板の外郭を成す４つの角に4箇所それぞれ形成され、
一組の対向する前記壁部は、矩形状壁部からなると共に、他の一組の対向する前記壁部は、４つの角部が切り欠かれた台形状壁部からなり、前記連結片に、前記各連結片を区画する矩形状壁部の折罫と台形状壁部の折罫との間の角度を略等分に分割する折罫を設け、前記台形状壁部におけるベース辺側の２つの内角の和が、略９０度に構成され、各矩形状壁部を、前記連結片で連結されている台形状壁部のベース辺側の内角と同一の角度で傾斜させて折り曲げると共に、各台形状壁部を、略９０度の角度で折り曲げ、一対の基板を相互に対向して且つベース辺側の台形状壁部の内角の配置を逆にして配置し、被保持物品を挟圧した状態で組み合わされるベース辺側の台形状壁部の２つの内角の和が、略９０度に構成されるようにし、被保持物品を挟圧した状態で略９０度を成す一対の基板の組み合わされた２枚の矩形状壁部の角部が外装カートン内の対向する２つの角部に沿うように、かつ、動かないように窮屈な状態で断面が矩形状の外装カートン内に被保持物品が宙吊り状態となるように収納されることを特徴とする。
【０００６】
また、請求項２記載の本発明にかかる物品保持具は、上記構成の一対の基板を備えることを特徴とする。
【発明の効果】
【０００７】
本発明の物品保持具及びその基板によれば、被保持物品を挟圧すると共に挟圧姿勢を拘束する拘束手段により被保持物品を保持した一対の物品保持具を断面が矩形状の外装カートン内に前記物品保持具の一対の基板がその内面の対角線に位置するように、かつ、動かないように（窮屈な状態で）収納して一対の物品保持具の８つの壁部を利用することにより、いずれの面も少なくともその一部が二重の壁を備えた包装体とすることができ、流通時等において外力が加わった際にも直接に外力が物品に作用して物品が損傷することがなく、また、流通時等において包装体内で物品が動くことによる損傷がないという優れた効果を奏するものである。また、物品保持具の基板を本発明のように構成すれば、組み立てにテープや糊等の接着手段を必要とせず、かつ、窓開き部を除いて切断及び除去する部分がないので、工程及び資材の削減を実現することができ、生産力を向上させることができる。
【発明を実施するための最良の形態】
【０００８】
上記の本発明について、図面等を用いて以下に詳述する。
図１は本発明にかかる物品保持具の一実施例を示す平面図、図２は本発明にかかる物品保持具の使用方法を説明する図、図３は本発明にかかる物品保持具の組立方法を示す斜視図であり、図中の１は物品保持具、２は基板、３は壁部、４は伸縮フィルム、１０は外装カートン、２０は窓開き部、２３ａ，２３ｂ，２４，２５ａ，２５ｂ，２６ａ，２６ｂは折罫、３０は矩形状壁部、３１は台形状壁部、３２ａ，３２ｂは連結片をそれぞれ示す。
【０００９】
図１は本発明にかかる物品保持具の平面図であって、物品保持具１は、略矩形状の窓開き部２０を有する略矩形状の基板２を有する。基板２には、二組の対向した折罫２３ａ，２３ｂと、異なる組の折罫２３ａ，２３ｂの交点より端部に向かって延在する折罫２４，２５ａ，２５ｂ，２６ａ，２６ｂとが形成される。二組の対向した折罫２３ａ，２３ｂは、後述の矩形状壁部３０及び台形状壁部３１のベース辺を構成する。基板２は、二組の壁部３及び連結片３２ａ，３２ｂを有する。そのうちの一組の対向する壁部３は、折罫２３ｂ，２４と基板２の端部とで区画された矩形状壁部３０からなると共に、他の一組の対向する前記壁部３は、折罫２３ａ，２５ａ，２５ｂと基板２の端部とで区画され、４つの角部が切り欠かれた台形状壁部３１からなる。さらに、前記基板２には、窓開き部２０を覆う伸縮フィルム４が貼着されているものである。前記台形状壁部３１の切り欠く角度としては、ベース辺側の台形状壁部の２つの内角ａ，ｂの和が略９０度に構成されるように、折罫２５ａ，２５ｂを基板２に形成する。連結片３２ａは、折罫２４，２５ａと基板２の端部とで台形状に区画され、矩形状壁部３０と台形状壁部３１に隣接し、台形状壁部３１の折罫２５ａ側に位置する。連結片３２ｂは、折罫２４，２５ｂと基板２の端部とで台形状に区画され、矩形状壁部３０と台形状壁部３１に隣接し、台形状壁部３１の折罫２５ｂ側に位置する。連結片３２ａには、折罫２６ａが設けられ、連結片３２ｂには、折罫２６ｂが設けられる。連結片３２ａの折罫２６ａは、隣接する矩形状壁部３０の折罫２４と台形状壁部側３１の折罫２５ａとの間の角度ｃを略等分に分割する。連結片３２ｂの折罫２６ｂは、隣接する矩形状壁部３０の折罫２４と台形状壁部側３１の折罫と２５ｂとの間の角度ｄを略等分に分割する。
【００１０】
図２は本発明にかかる物品保持具を収納する外装カートンの一実施例を示す展開図であって、外装カートン１０〔図３（ハ）参照〕は糊代片１０５と背面板１０２と側面板１０３と正面板１０１と側面板１０４とが折罫２０１、２０２、２０３、２０４を介して連接し、前記正面板１０１に折罫３０１、３１１を介して表面壁部１１１、１２１が連接し、前記背面板１０２に折罫３０２、３１２を介して裏面壁部１１２、１２２が連接し、前記側面板１０３、１０４に折罫３０３、３１３および折罫３０４、３１４を介して折込み壁部１１３、１２３および折込み壁部１１４、１２４が連接したブランク板１００からなり、該ブランク板１００を前記側面板１０４の裏面に前記糊代片１０５を貼着して断面矩形状の筒状となし、一方の開口部を前記折込み壁部１１３、１１４を折り込むと共に前記裏面壁部１１２を折り込み、次いで前記表面壁部１１１を折り込むと共に前記裏面壁部１１２と前記表面壁部１１１を貼着した後に、物品（収納物）を他方の開口部から収納し、次いで、前記折込み壁部１２３、１２４を折り込むと共に前記裏面壁部１２２を折り込み、次いで前記表面壁部１２１を折り込むと共に前記裏面壁部１２２と前記表面壁部１２１を貼着したものであって、いわゆるシールエンドカートンである。なお、本発明の外装カートン１０は、シールエンドカートンに限ることはなく、たとえば、オートボトムカートン、ロックカートン、差し込み型カートンであってもよいものである。
【００１１】
次に、本発明にかかる物品保持具１の使用方法について説明する。図３は本発明にかかる物品保持具の外装カートンへの収納方法を説明する図、図４は本発明にかかる物品保持具の組立方法を説明する図であって、図３（イ）に示すように、２枚（一対）の平面状の物品保持具１を、被保持物品Ａの上下に対向させて配置する。このとき、被保持物品Ａを挟圧した状態で組み合わされるベース辺側の台形状壁部３１の２つの内角ａ，ｂの和が、略９０度に構成されるように、ベース辺側の台形状壁部３１の内角ａ，ｂの配置を上下で逆にして物品保持具１を配置する。次に、横断面が略長円形状の筒状形状の被保持物品Ａを２枚（一対）の物品保持具１に設けられた窓開き部２０を略緊張状態で覆うそれぞれの伸縮フィルムで被保持物品Ａを挟圧すると共に、挟圧姿勢を拘束する拘束手段、たとえば、前記物品保持具１の前記基板２同士をホットメルト接着剤で保持する。
【００１２】
次いで、図４（イ）に示した平面状の物品保持具１をそれぞれ、以下の手順で各折罫を介して折り曲げて、矩形状壁部３０及び台形状壁部３１を組み立てる。図４（イ）に示すように、折罫２３ａ及び折罫２４を介して矩形状壁部３０を内壁側に折り曲げる。次に、折罫２４及び折罫２６ａ，２６ｂを介して、矩形状壁部３０側の連結片３２ａ，３２ｂをそれぞれ矩形状壁部３０の内壁側に折り曲げる。これと同時に、折罫２５ａ，２５ｂ及び折罫２６ａ，２６ｂを介して、台形状壁部３１側の連結片３２ａ，３２ｂをそれぞれ台形状壁部３１の内壁側に折り曲げると、図４（ハ）に示すように、連結片３２ａ，３２ｂが矩形状壁部３０及び台形状壁部３１の内側に折り畳まれる。上記の矩形状壁部３０及び連結片３２ａ，３２ｂの折り曲げ作業を行って、矩形状壁部３０を、連結片３２ａ，３２ｂで連結されている台形状壁部３１のベース辺側の内角ａ，ｂの角度と同一角度で傾斜させると、図３（ロ）に示す上下一組の矩形状壁部３０，３０が形成する角度は、略９０度となる。このとき、図４（ハ）に示すように、連結片３２ａ，３２ｂの折り畳み動作に連動して、台形状壁部３１が折罫２４を介して略９０度の角度で起き上がる。
【００１３】
一対の物品保持具１の組立作業が完了した後、図３（ロ）に示すように成形した成形品Ｂを一方が封止され、一対の物品保持具の矩形状壁部３０の角部を、他方が開口している図３（ハ）に示す直方状のシールエンドカートン１０の対向する２つの角部に沿わせて、一対の物品保持具１をシールエンドカートン１０の内部に収納する。前記成形品Ｂの前記台形状壁部３１、３１および前記矩形状壁部３０、３０が前記シールエンドカートン１０の６面にそれぞれ当接するように収納して、開口部を先に説明した要領で封止すれば、緩衝機能を持つ包装体とすることができる。このように構成した包装体は、外装カートン１０内に動かないように（窮屈な状態で）外装カートン１０内に固定され、かつ、被保持物品Ａが外装カートン１０内に宙吊り状態で収納されると共に、外装ケース１０の全ての面（全６面）が前記物品保持具１の壁部３により少なくともその一部が二重の壁を備えた包装体となるために、流通時等において外力が包装体に加わった際にも直接に外力が物品に作用して物品を損傷することがなく、また、流通時等において包装体内で物品が動くことによる損傷（ガタつくことによる損傷）を防止することができる。また、前記壁部３は設計の許す範囲において、より幅広の方が望ましいものである。なお、符号Ｔはタックラベルを示し、被保持物品Ａを取り出す際に、タックラベルＴを手指等で摘んで開封方向へ引っ張ることにより、伸縮フィルム４を容易に引き裂くことができ、引き裂き開口部から被保持物品Ａを簡単に取り出すことができる。
【００１４】
次に、前記物品保持具１を構成する前記基体２および前記壁部３、および、外装カートン１０の材質としては、被保持物品Ａが小型の場合には、板紙、Ｅフルート段ボールが適当であり、また、大型化して重量が増える場合には、Ａ，Ｂフルート段ボールが適当であり、被保持物品Ａの重量や形状、大きさ、あるいは、印刷の有無等を考慮してダンボールを構成する素材、厚み等について適宜選定すればよいものである。
【００１５】
前記物品保持具１を構成する伸縮フィルムの材質としては、一般のストレッチ物流システムに使用されるオレフィン系樹脂や塩化ビニル系樹脂からなる重量物用のストレッチフィルムが適当であるが、中でもウレタン系樹脂からなるストレッチフィルムは、伸長性、復元性、引っ張り強度、引き裂き強度、突き刺し強度、耐摩耗性等において優れ、また、軽い粘着性があるところから特に好ましいものである。また、被保持物品Ａを高品質に保つために、防湿性に優れた伸縮フィルムであることが好ましく、防湿性効果のある材料としては、例えば、ポリエチレンやエチレン酢酸ビニル共重合体（ＥＶＡ）等が挙げられ、後述するように伸縮フィルム４の破損防止等を考慮すれば、ポリエチレン／未延伸ナイロン／ポリエチレンや未延伸ナイロン／ポリエチレンの共押しフィルムであることが特に好ましい。
【００１６】
また、上記の物品保持具１においては、基板２に貼着されている伸縮フィルム４は、平面シート状のものであるが、伸縮フィルム４に保持部形成用凹部４ａを設けて、伸縮フィルムの変形量を低減してもよい。保持部形成用凹部４ａの形状は、図５に示すように、被保持物品Ａの保持部分の少なくとも一部を覆うように構成したり、あるいは、被保持物品Ａの保持部分の輪郭形状に対応する形状に構成したりして、伸縮フィルム４の伸張前に被保持物品Ａを対向する２枚の伸縮フィルム４上に固定するようにしてもよい。前記保持部形成用凹部４ａを形成する場合の伸縮フィルム４の材質については、上記平面シート状の伸縮フィルムと同様のものであってよいが、外装カートンに挿入して１ｍの高さから１角３稜６面の落下試験を実施したところ、内層がポリエチレン層、中層がエチレン酢酸ビニル共重合体層、外層がポリエチレン層である三層フィルムからなる伸縮フィルム４には、特に破損が見られなかった。
【図面の簡単な説明】
【００１７】
【図１】本発明の第１実施形態にかかる包装体に用いる物品保持具の一実施例を示す平面図である。
【図２】本発明にかかる物品保持具を収納する外装カートンの一実施例を示す展開図である。
【図３】本発明にかかる物品保持具の外装カートンへの収納方法を説明する図である。
【図４】本発明にかかる物品保持具の組立方法を説明する図である。
【図５】本発明にかかる一対の物品保持具の変形例を示す断面図である。
【符号の説明】
【００１８】
１                                              物品保持具
２                                              基板
３                                              壁部
４                                              伸縮フィルム
４ａ                                            保持部形成用凹部
１０                                            外装カートン
２０                                            窓開き部
２３ａ，２３ｂ                                  折罫
２４                                            折罫
２５ａ，２５ｂ                                  折罫
２６ａ，２６ｂ                                  折罫
１１１，１１２，１１３，１１４                  折罫
２０１，２０２，２０３，２０４                  折罫
３１１，３１２，３１３，３１４                  折罫
３０                                            矩形状壁部
３１                                            台形状壁部
１００                                          ブランク板
１０１                                          正面板
１０２                                          背面板
１０３，１０４                                  側面板
１０５                                          糊代片
１１１，１２１                                  表面壁部
１１２，１２２                                  裏面壁部
１１３，１１４，１２３，１２４                  折込み壁部
【図１】
0005045342.tif 000002
【図２】
0005045342.tif 000003
【図３】
0005045342.tif 000004
【図４】
0005045342.tif 000005
【図５】
0005045342.tif 000006